(57)【特許請求の範囲】
【請求項１】
複数のコンポーネントキャリア又はバンドを用いて、上りリンク信号を送信することができるように構成されている移動局であって、
無線基地局から、スケジューリング情報を受信するように構成されている受信部と、
前記スケジューリング情報に基づいて、前記上りリンク信号を送信するように構成されている送信部とを具備しており、
前記送信部は、同一タイミングでは、いずれか１つのコンポーネントキャリア又はバンドを用いて、前記上りリンク信号を送信するように構成されており、
前記送信部は、同一タイミングにおいて前記スケジューリング情報によって前記上りリンク信号を送信するリソースとして２つ以上のコンポーネントキャリア又はバンドが割り当てられていると判定した場合、該上りリンク信号を送信しないように構成されていることを特徴とする移動局。
【請求項２】
複数のコンポーネントキャリア又はバンドを用いて、上りリンク信号を送信することができるように構成されている移動局であって、
無線基地局から、スケジューリング情報を受信するように構成されている受信部と、
前記スケジューリング情報に基づいて、前記上りリンク信号を送信するように構成されている送信部とを具備しており、
前記送信部は、同一タイミングでは、いずれか１つのコンポーネントキャリア又はバンドを用いて、前記上りリンク信号を送信するように構成されており、
前記送信部は、同一タイミングにおいて前記スケジューリング情報によって前記上りリンク信号を送信するリソースとして２つ以上のコンポーネントキャリア又はバンドが割り当てられていると判定した場合、各コンポーネントキャリアの優先順位に基づいて、該上りリンク信号を送信するリソースを決定するように構成されていることを特徴とする移動局。
【請求項３】
複数のバンドを用いて、上りリンク信号を送信することができるように構成されている移動局であって、
無線基地局から、スケジューリング情報を受信するように構成されている受信部と、
前記スケジューリング情報に基づいて、前記上りリンク信号を送信するように構成されている送信部とを具備しており、
前記送信部は、同一タイミングでは、いずれか１つのコンポーネントキャリア又はバンドを用いて、前記上りリンク信号を送信するように構成されており、
前記送信部は、同一タイミングにおいて前記スケジューリング情報によって前記上りリンク信号を送信するリソースとして２つ以上のコンポーネントキャリア又はバンドが割り当てられていると判定した場合、各コンポーネントキャリアで送信される信号の種別に基づいて、該上りリンク信号を送信するリソースを決定するように構成されていることを特徴とする移動局。
【請求項４】
前記送信部は、同一タイミングにおいて前記スケジューリング情報によって前記上りリンク信号を送信するリソースとして２つ以上のコンポーネントキャリア又はバンドが割り当てられていると判定した場合、Ｓｅｍｉ-Ｐｅｒｓｉｓｔｅｎｔ  ｓｃｈｅｄｕｌｉｎｇにより割り当てられた信号を送信するコンポーネントキャリアを優先し、該上りリンク信号を送信するリソースを決定するように構成されていることを特徴とする請求項３に記載の移動局。
【請求項５】
複数のコンポーネントキャリア又はバンドを用いて、上りリンク信号を送信することができるように構成されている移動局であって、
無線基地局から、スケジューリング情報を受信するように構成されている受信部と、
前記スケジューリング情報に基づいて、前記上りリンク信号を送信するように構成されている送信部とを具備しており、
前記送信部は、同一タイミングでは、いずれか１つのコンポーネントキャリア又はバンドを用いて、前記上りリンク信号を送信するように構成されており、
前記送信部は、同一タイミングにおいて前記スケジューリング情報によって前記上りリンク信号を送信するリソースとして２つ以上のコンポーネントキャリア又はバンドが割り当てられていると判定した場合、過去に受信したスケジューリング情報に基づいて、該上りリンク信号を送信するリソースを決定するように構成されていることを特徴とする移動局。
【請求項６】
複数のコンポーネントキャリア又はバンドを用いて、上りリンク信号を送信することができるように構成されている移動局であって、
無線基地局から、スケジューリング情報を受信するように構成されている受信部と、
前記スケジューリング情報に基づいて、前記上りリンク信号を送信するように構成されている送信部とを具備しており、
前記送信部は、同一タイミングでは、いずれか１つのコンポーネントキャリア又はバンドを用いて、前記上りリンク信号を送信するように構成されており、
前記送信部は、同一タイミングにおいて前記スケジューリング情報によって前記上りリンク信号を送信するリソースとして２つ以上のコンポーネントキャリア又はバンドが割り当てられていると判定した場合、各コンポーネントキャリアの無線品質に基づいて、該上りリンク信号を送信するリソースを決定するように構成されていることを特徴とする移動局。
【請求項７】
複数のコンポーネントキャリア又はバンドを用いて、上りリンク信号を送信することができるように構成されている移動局であって、
無線基地局から、スケジューリング情報を受信するように構成されている受信部と、
前記スケジューリング情報に基づいて、前記上りリンク信号を送信するように構成されている送信部とを具備しており、
前記送信部は、同一タイミングでは、いずれか１つのコンポーネントキャリア又はバンドを用いて、前記上りリンク信号を送信するように構成されており、
前記送信部は、同一タイミングにおいて前記スケジューリング情報によって前記上りリンク信号を送信するリソースとして２つ以上のコンポーネントキャリア又はバンドが割り当てられていると判定した場合、ランダムに、該上りリンク信号を送信するリソースを決定するように構成されていることを特徴とする移動局。
【発明の詳細な説明】
【技術分野】
【０００１】
本発明は、移動局に関する。
【背景技術】
【０００２】
ＬＴＥ（Ｒｅｌｅａｓｅ-１０/Ｒｅｌｅａｓｅ-１１）方式の移動通信システムでは、複数のＣＣ（ＣｏｍｐｏｎｅｎｔＣａｒｒｉｅｒ、コンポーネントキャリア）を用いて上りリンク信号を送信する「Ｕｐｌｉｎｋ  ＣＡ（Ｃａｒｒｉｅｒ  Ａｇｇｒｅｇａｔｉｏｎ）」を行うことができるように構成されている。
【０００３】
しかしながら、従来のＦＤＤシステムを実現するための無線構成では、同一のバンド内の上りリンク帯域から下りリンク帯域への漏れ込みを抑圧するために、Ｄｕｐｌｅｘｅｒが挿入される。
【０００４】
一方で、「Ｉｎｔｅｒ-ｂａｎｄ  ＣＡ」においては、異なるバンドで送信された上りリンク帯域から信号が、自帯域の下りリンク帯域漏れ込みが発生してしまう。その漏れ込みを抑圧するために、一般的には、Ｄｉｐｌｅｘｅｒを追加で挿入することが検討されている。
【０００５】
なお、複数の「Ｉｎｔｒａ-ｂａｎｄ  ＣＡ」や「Ｉｎｔｒａ-ｂａｎｄ  ＣＡ」と既存のＬＴＥバンドとを組み合わせた場合にも、同様の検討が想定される。以下では、「Ｉｎｔｅｒ-ｂａｎｄ  ＣＡ」を前提として記載するが、かかる検討は、上述のような組み合わせにも適用されるものとする。
【０００６】
例えば、バンド＃Ａ/＃Ｂ内の上りリンク帯域から下りリンク帯域への信号（図７における実線）は、その漏れ込みを抑圧するためにＤｕｐｌｅｘｅｒ＃Ａ/＃Ｂが挿入される。
【０００７】
加えて、バンド＃Ａ内の上りリンク帯域からバンド＃Ｂ内の下りリンク帯域へ漏れ込む信号（図７における実線）に関しては、同様に、Ｄｉｐｌｅｘｅｒを挿入することで、漏れ込む信号を抑圧する。
【０００８】
ここで、同一のバンド内の上りリンク帯域から下りリンク帯域へのＤｉｐｌｅｘｅｒを経由しての信号の漏れ込みに対しては、ＬＴＥ（Ｒｅｌｅａｓｅ-８）方式において、かかる影響を削減するために「ＲＥＦＳＥＮＳ」等が規定されている。
【０００９】
また、上りリンクとして１つの帯域のみを利用する場合に関しては、現在、検討が行われている。
【００１０】
しかしながら、異なるバンド間での上りリンク帯域から下りリンク帯域へのＤｉｐｌｅｘｅｒを経由しての信号の漏れ込みに対しては、複数の上りリンク帯域からの信号が発生した場合に関しては何ら対策が講じられていない。
【００１１】
特に、そのために発生する送信スプリアスや受信感度の劣化や送信電力の低減等が発生してしまうという問題点があった。
【００１２】
本課題を解決するために、「１ＲＦ  Ｕｐｌｉｎｋ  ＣＡ」（又は、「１ＣＣ  Ｕｐｌｉｎｋ  ＣＡ」）の検討が行われている（特許文献１）。
【００１３】
かかる「１ＲＦ  Ｕｐｌｉｎｋ  ＣＡ」用の移動局ＵＥは、複数のバンドを用いて上りリンク信号を送信することができるように構成されているが、同一サブフレーム（Ｓｕｂｆｒａｍｅ）では、いずれか１つのバンド又は１つのＣＣ（ＲＦ：Ｒａｄｉｏ  Ｆｒｅｑｕｅｎｃｙ）を用いて上りリンク信号を送信する機能を具備している。
【先行技術文献】
【特許文献】
【００１４】
【特許文献１】特願２０１２-０２２５４７号
【非特許文献】
【００１５】
【非特許文献１】３ＧＰＰ ＴＳ３６.１０１
【発明の概要】
【発明が解決しようとする課題】
【００１６】
しかしながら、従来の移動通信システムでは、無線基地局ｅＮＢが、「１ＲＦ  Ｕｐｌｉｎｋ  ＣＡ」用の移動局ＵＥに対して、上りリンク信号を送信するリソースとして複数のＣＣを誤って割り当ててしまった場合、かかる移動局ＵＥは、複数のＣＣのうちのいずれのＣＣ又はいずれのバンド（複数のＣＣを束ねて構成される）を用いて上りリンク信号を送信すればよいかについて決定することができないという問題点があった。
【００１７】
また、従来の移動通信システムでは、「１ＲＦ  Ｕｐｌｉｎｋ  ＣＡ」用の移動局ＵＥが、スケジューリング情報の受信誤りによって、上りリンク信号を送信するリソースとして複数のバンドに誤って割り当てられていると判断してしまった場合（Ｆａｌｓｅ  Ａｌａｒｍが発生した場合）、複数のＣＣのうちのいずれのＣＣ又はいずれのバンドを用いて上りリンク信号を送信すればよいかについて決定することができないという問題点があった。
【００１８】
そこで、本発明は、上述の課題に鑑みてなされたものであり、「１ＲＦ  Ｕｐｌｉｎｋ  ＣＡ」において、適切なＣＣを用いて上りリンク信号を送信することができる移動局を提供することを目的とする。
【課題を解決するための手段】
【００１９】
本発明の第１の特徴は、複数のコンポーネントキャリア又はバンドを用いて、上りリンク信号を送信することができるように構成されている移動局であって、無線基地局から、スケジューリング情報を受信するように構成されている受信部と、前記スケジューリング情報に基づいて、前記上りリンク信号を送信するように構成されている送信部とを具備しており、前記送信部は、同一タイミングでは、いずれか１つのコンポーネントキャリア又はバンドを用いて、前記上りリンク信号を送信するように構成されており、前記送信部は、同一タイミングにおいて前記スケジューリング情報によって前記上りリンク信号を送信するリソースとして２つ以上のコンポーネントキャリア又はバンドが割り当てられていると判定した場合、該上りリンク信号を送信しないように構成されていることを要旨とする。
【００２０】
本発明の第２の特徴は、複数のコンポーネントキャリア又はバンドを用いて、上りリンク信号を送信することができるように構成されている移動局であって、無線基地局から、スケジューリング情報を受信するように構成されている受信部と、前記スケジューリング情報に基づいて、前記上りリンク信号を送信するように構成されている送信部とを具備しており、前記送信部は、同一タイミングでは、いずれか１つのコンポーネントキャリア又はバンドを用いて、前記上りリンク信号を送信するように構成されており、前記送信部は、同一タイミングにおいて前記スケジューリング情報によって前記上りリンク信号を送信するリソースとして２つ以上のコンポーネントキャリア又はバンドが割り当てられていると判定した場合、各コンポーネントキャリア又は各バンドの優先順位に基づいて、該上りリンク信号を送信するリソースを決定するように構成されていることを要旨とする。
【００２１】
本発明の第３の特徴は、複数のコンポーネントキャリア又はバンドを用いて、上りリンク信号を送信することができるように構成されている移動局であって、無線基地局から、スケジューリング情報を受信するように構成されている受信部と、前記スケジューリング情報に基づいて、前記上りリンク信号を送信するように構成されている送信部とを具備しており、前記送信部は、同一タイミングでは、いずれか１つのコンポーネントキャリア又はバンドを用いて、前記上りリンク信号を送信するように構成されており、前記送信部は、同一タイミングにおいて前記スケジューリング情報によって前記上りリンク信号を送信するリソースとして２つ以上のコンポーネントキャリア又はバンドが割り当てられていると判定した場合、各コンポーネントキャリアで送信される信号の種別に基づいて、該上りリンク信号を送信するリソースを決定するように構成されていることを要旨とする。
【００２２】
本発明の第４の特徴は、複数のコンポーネントキャリア又はバンドを用いて、上りリンク信号を送信することができるように構成されている移動局であって、無線基地局から、スケジューリング情報を受信するように構成されている受信部と、前記スケジューリング情報に基づいて、前記上りリンク信号を送信するように構成されている送信部とを具備しており、前記送信部は、同一タイミングでは、いずれか１つのコンポーネントキャリア又はバンドを用いて、前記上りリンク信号を送信するように構成されており、前記送信部は、同一タイミングにおいて前記スケジューリング情報によって前記上りリンク信号を送信するリソースとして２つ以上のコンポーネントキャリア又はバンドが割り当てられていると判定した場合、過去に受信したスケジューリング情報に基づいて、該上りリンク信号を送信するリソースを決定するように構成されていることを要旨とする。
【００２３】
本発明の第５の特徴は、複数のコンポーネントキャリア又はバンドを用いて、上りリンク信号を送信することができるように構成されている移動局であって、無線基地局から、スケジューリング情報を受信するように構成されている受信部と、前記スケジューリング情報に基づいて、前記上りリンク信号を送信するように構成されている送信部とを具備しており、前記送信部は、同一タイミングでは、いずれか１つのコンポーネントキャリア又はバンドを用いて、前記上りリンク信号を送信するように構成されており、前記送信部は、同一タイミングにおいて前記スケジューリング情報によって前記上りリンク信号を送信するリソースとして２つ以上のコンポーネントキャリア又はバンドが割り当てられていると判定した場合、各コンポーネントキャリアの無線品質に基づいて、該上りリンク信号を送信するリソースを決定するように構成されていることを要旨とする。
【００２４】
本発明の第６の特徴は、複数のコンポーネントキャリア又はバンドを用いて、上りリンク信号を送信することができるように構成されている移動局であって、無線基地局から、スケジューリング情報を受信するように構成されている受信部と、前記スケジューリング情報に基づいて、前記上りリンク信号を送信するように構成されている送信部とを具備しており、前記送信部は、同一タイミングでは、いずれか１つのコンポーネントキャリア又はバンドを用いて、前記上りリンク信号を送信するように構成されており、前記送信部は、同一タイミングにおいて前記スケジューリング情報によって前記上りリンク信号を送信するリソースとして２つ以上のコンポーネントキャリア又はバンドが割り当てられていると判定した場合、ランダムに、該上りリンク信号を送信するリソースを決定するように構成されていることを要旨とする。
【発明の効果】
【００２５】
以上説明したように、本発明によれば、「１ＲＦ  Ｕｐｌｉｎｋ  ＣＡ」において、適切なＣＣを用いて上りリンク信号を送信することができる移動局を提供することができる。
【図面の簡単な説明】
【００２６】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】本発明の第１の実施形態に係る移動局の動作を示すフローチャートである。
【図５】本発明の第１の実施形態に係る移動局の動作を示すフローチャートである。
【図６】本発明の第１の実施形態に係る移動局の動作を示すフローチャートである。
【図７】従来の移動通信システムの問題点について説明するための図である。
【発明を実施するための形態】
【００２７】
（本発明の第１の実施形態に係る移動通信システム）
図１乃至図６を参照して、本発明の第１の実施形態に係る移動通信システムについて説明する。
【００２８】
図１に示すように、本実施形態に係る移動通信システムは、ＬＴＥ（Ｒｅｌｅａｓｅ-１０）方式及びそれ以降のＬＴＥ方式の移動通信システムであって、無線基地局ｅＮＢと、移動局ＵＥとを具備している。
【００２９】
なお、複数の「Ｉｎｔｒａ-ｂａｎｄ  ＣＡ」や「Ｉｎｔｒａ-ｂａｎｄ  ＣＡ」と既存のＬＴＥバンドとを組み合わせた場合にも、同様の検討が想定される。以下では、「Ｉｎｔｅｒ-ｂａｎｄ  ＣＡ」を前提として記載するが、本発明は、上述のような組み合わせに対しても適用されるものとする。
【００３０】
また、本実施形態に係る移動局ＵＥは、「１ＲＦ  Ｕｐｌｉｎｋ  ＣＡ」（又は、「１ＣＣ  Ｕｐｌｉｎｋ  ＣＡ」）用の移動局ＵＥであるものとする。
【００３１】
すなわち、本実施形態に係る移動局ＵＥは、複数のＣＣ又はバンドを用いて、上りリンク信号を送信することができるように構成されているが、同一サブフレームでは、いずれか１つのＣＣ又はバンドを用いて、上りリンク信号を送信するように構成されている。
【００３２】
図２に示すように、本実施形態に係る移動局ＵＥは、受信部１１と、送信部１２と、管理部１３とを具備している。
【００３３】
受信部１１は、無線基地局ｅＮＢから、各種信号を受信するように構成されている。例えば、受信部１１は、無線基地局ｅＮＢから、スケジューリング情報を受信するように構成されている。
【００３４】
また、送信部１２は、無線基地局ｅＮＢに対して、各種信号を送信するように構成されている。例えば、送信部１２は、受信部１１によって受信されたスケジューリング情報に基づいて、上りリンク信号を送信するように構成されている。
【００３５】
なお、上述したように、本実施形態に係る移動局ＵＥでは、送信部１２は、同一サブフレームでは、いずれか１つのＣＣ又はバンドを用いて、上りリンク信号を送信するように構成されている。
【００３６】
したがって、送信部１２は、同一サブフレームにおいてスケジューリング情報によって上りリンク信号を送信するリソースとして２つ以上のＣＣ又はバンドが割り当てられていると判定した場合には、どのように上りリンク信号を送信すべきかについて決定するように構成されている。
【００３７】
例えば、送信部１２は、同一サブフレームにおいてスケジューリング情報によって上りリンク信号を送信するリソースとして２つ以上のＣＣ又はバンドが割り当てられていると判定した場合、上りリンク信号を送信しないように構成されていてもよい（方法１）。
【００３８】
ここで、送信部１２は、同一サブフレームにおいてスケジューリング情報によって上りリンク信号を送信するリソースとして所定数（例えば、３）以上のＣＣ又は所定数（例えば、２）以上のバンドが割り当てられていると判定した場合に、上りリンク信号を送信しないように構成されていてもよい。
【００３９】
また、送信部１２は、同一サブフレームにおいてスケジューリング情報によって上りリンク信号を送信するリソースとして２つ以上のＣＣ又はバンドが割り当てられていると判定した場合、各ＣＣの優先順位に基づいて、上りリンク信号を送信するリソースを決定するように構成されていてもよい（方法２）。
【００４０】
ここで、各ＣＣの優先順位は、無線基地局ｅＮＢからのＲＲＣメッセージによって予め指定されていてもよい。
【００４１】
例えば、送信部１２は、「Ｐｃｅｌｌ/ＰＣＣ（Ｐｒｉｍａｒｙ  Ｃｏｍｐｏｎｅｎｔ  Ｃａｒｒｉｅｒ）」の優先度を最も高くし、「Ｓｃｅｌｌ/ＳＣＣ（Ｓｅｃｏｎｄａｒｙ  Ｃｏｍｐｏｎｅｎｔ  Ｃａｒｒｉｅｒ）」に割り当てられている「Ｃｅｌｌ  Ｉｎｄｅｘ」が小さい順（或いは、大きい順）に優先度を高くしてもよい。
【００４２】
或いは、「Ｓｃｅｌｌ」の優先度を決めるために、各「Ｓｅｃｌｌ」に対して「Ｃｅｌｌ  Ｉｎｄｅｘ」以外のインデックスが付与されていてもよい。
【００４３】
なお、本明細書では、「ＰＣＣ」及び「Ｐｃｅｌｌ」は同義であるものとし、「ＳＣＣ」及び「Ｓｃｅｌｌ」は同義であるものとする。
【００４４】
また、送信部１２は、同一サブフレームにおいてスケジューリング情報によって上りリンク信号を送信するリソースとして２つ以上のＣＣ又はバンドが割り当てられていると判定した場合、各ＣＣで送信される信号の種別に基づいて、上りリンク信号を送信するリソースを決定するように構成されていてもよい（方法３）。
【００４５】
一般に、ＣＣの種別によって送信可能な信号の種別が異なる。
【００４６】
例えば、送信部１２は、「Ｐｃｅｌｌ」を介して、ＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）信号等を送信することができる。
【００４７】
また、送信部１２は、ＳＰＳ（Ｓｅｍｉ-Ｐｅｒｓｉｓｔｅｎｔ  Ｓｃｈｅｄｕｌｉｎｇ）により割り当てられた信号について、ＰＣｅｌｌにより送信することができる。
【００４８】
また、「Ｍｕｌｔｉｐｌｅ-ＴＡ」がサポートされている場合、送信部１２は、「ＴＡ  Ｇｒｏｕｐ」の中で定められたＣＣを介して、ＲＡＣＨ（Ｒａｎｄｏｍ  Ａｃｃｅｓｓ  Ｃｈａｎｎｅｌ）信号を送信することができる。
【００４９】
したがって、送信部１２は、スケジューリング情報によってＰＵＣＣＨ信号（又は、ＰＨＩＣＨ（Ｐｈｙｓｉｃａｌ  ＨＡＲＱ  Ｉｎｄｉｃａｔｉｏｒ  Ｃｈａｎｎｅｌ）信号）を送信するリソースが割り当てられている場合、２つ以上のＣＣの中から、ＰＵＣＣＨ信号又はＰＨＩＣＨ信号を送信するリソースとして割り当てられたＣＣを優先的に選択する、すなわち、かかるＣＣを用いてＰＵＣＣＨ信号又はＰＨＩＣＨ信号を送信することを決定するように構成されていてもよい。
【００５０】
次に、スケジューリング情報によってＰＵＣＣＨ信号又はＰＨＩＣＨ信号を送信するリソースが割り当てられていない場合で、かつ、スケジューリング情報によってＲＡＣＨ信号を送信するリソースが割り当てられている場合には、送信部１２は、２つ以上のＣＣ又はバンド内のＣＣの中から、ＲＡＣＨ信号を送信するリソースとして割り当てられたＣＣを優先的に選択する、すなわち、かかるＣＣを用いてＲＡＣＨ信号を送信することを決定するように構成されていてもよい。
【００５１】
なお、スケジューリング情報によって複数のＲＡＣＨ信号を送信する複数のリソースが割り当てられている場合には、送信部１２は、方法３を用いて、上りリンク信号を送信するリソースを決定しないように構成されていてもよい。
【００５２】
さらに、スケジューリング情報によってＰＵＣＣＨ信号又はＰＨＩＣＨ信号を送信するリソースが割り当てられていない場合で、スケジューリング情報によってＲＡＣＨ信号を送信する複数のリソースが割り当てられていない場合で、かつ、スケジューリング情報によってＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）信号を送信するリソースが割り当てられている場合には、送信部１２は、２つ以上のＣＣ又はバンド内のＣＣの中から、ＰＵＳＣＨ信号を送信するリソースとして割り当てられたＣＣを選択する、すなわち、かかるＣＣを用いてＰＵＳＣＨ信号を送信することを決定するように構成されていてもよい。
【００５３】
ここで、スケジューリング情報によって複数のＰＵＳＣＨ信号を送信する複数のリソースが割り当てられている場合には、送信部１２は、方法３を用いて、上りリンク信号を送信するリソースを決定しないように構成されていてもよい。
【００５４】
また、スケジューリング情報によって複数のＰＵＳＣＨ信号を送信する複数のリソースが割り当てられている場合、送信部１２は、ＵＣＩ（Ｕｐｌｉｎｋ  Ｃｏｎｔｒｏｌ  Ｉｎｆｏｒｍａｔｉｏｎ）の有無によって、送信すべきＣＣ又はＰＵＳＣＨ信号を決定するように構成されていてもよい。
【００５５】
なお、ＰＵＳＣＨ信号にＰＵＣＣＨ信号が「Ｐｉｇｇｙ  ｂａｃｋ」されている場合、送信部１２は、かかるＰＵＳＣＨ信号を送信するリソースとして割り当てられたＣＣの優先度を、ＰＵＣＣＨ信号又はＰＨＩＣＨ信号を送信するリソースとして割り当てられたＣＣの優先度と同じと見なすように構成されていてもよい。
【００５６】
また、送信部１２は、同一サブフレームにおいてスケジューリング情報によって上りリンク信号を送信するリソースとして２つ以上のＣＣ又はバンドが割り当てられていると判定した場合、過去に受信したスケジューリング情報に基づいて、上りリンク信号を送信するリソースを決定するように構成されていてもよい（方法４）。
【００５７】
例えば、送信部１２は、スケジューリング情報によって複数のＰＵＳＣＨ信号を送信する複数のリソースが割り当てられている場合、最新のスケジューリング情報を受信したタイミングが最も古いＣＣ、或いは、送信が完了しない状態でＨＡＲＱ用バッファに蓄積されているデータ信号に対応するスケジューリング情報を受信したタイミングが最も古いＣＣを優先的に選択する、すなわち、かかるＣＣを用いてＰＵＳＣＨ信号を送信することを決定するように構成されていてもよい。
【００５８】
また、送信部１２は、スケジューリング情報によって複数のＰＵＳＣＨ信号を送信する複数のリソースが割り当てられている場合、最新のスケジューリング情報を受信したタイミングが最も新しいＣＣ、或いは、送信が完了しない状態でＨＡＲＱ用バッファに蓄積されているデータ信号に対応するスケジューリング情報を受信したタイミングが最も新しいＣＣを優先的に選択する、すなわち、かかるＣＣを用いてＰＵＳＣＨ信号を送信することを決定するように構成されていてもよい。
【００５９】
かかる場合、送信部１２は、ＨＡＲＱ用バッファにおいて、蓄積されている古いデータ信号から優先的に削除し、新たに蓄積されたデータ信号を上書きすることで、ＨＡＲＱ用バッファにおけるバッファ溢れを回避するように構成されていてもよい。
【００６０】
また、送信部１２は、同一サブフレームにおいてスケジューリング情報によって上りリンク信号を送信するリソースとして２つ以上のＣＣ又はバンドが割り当てられていると判定した場合、各ＣＣの無線品質に基づいて、上りリンク信号を送信するリソースを決定するように構成されていてもよい（方法５）。
【００６１】
例えば、送信部１２は、各ＣＣの無線品質として、下りリンクにおけるＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）や受信感度等、或いは、上りリンクに割り当てられているＭＣＳ（Ｍｏｄｕｌａｔｉｏｎ  ａｎｄ  Ｃｏｄｉｎｇ  Ｓｃｈｅｍｅ）等を用いるように構成されていてもよい。
【００６２】
ここで、送信部１２は、スケジューリング情報によって上りリンク信号を送信するリソースとして割り当てられたＣＣ又はバンド内のＣＣのうち、下りリンクにおける無線品質が最も良いＣＣを優先的に選択する、すなわち、かかるＣＣを用いて上りリンク信号を送信することを決定するように構成されていてもよい。
【００６３】
或いは、送信部１２は、上りリンクのおける無線品質が良い場合に、高いＭＣＳが割り当てられることを考慮して、スケジューリング情報によって上りリンク信号を送信するリソースとして割り当てられたＣＣ又はバンド内のＣＣのうち、上りリンクにおけるＭＣＳが最も高いＣＣを優先的に選択する、すなわち、かかるＣＣを用いて上りリンク信号を送信することを決定するように構成されていてもよい。
【００６４】
さらに、送信部１２は、同一サブフレームにおいてスケジューリング情報によって上りリンク信号を送信するリソースとして２つ以上のＣＣ又はバンドが割り当てられていると判定した場合、ランダムに、上りリンク信号を送信するリソースを決定するように構成されていてもよい（方法６）。
【００６５】
なお、送信部１２は、上述方法１乃至６の少なくとも２つの方法を組み合わせて、上りリンク信号を送信するリソースを決定するように構成されていてもよい。
【００６６】
管理部１３は、上述の送信部１２による決定に必要な情報を管理するように構成されている。例えば、管理部１３は、各ＣＣにおいて上述のスケジューリング情報を受信したタイミングや、各ＣＣの無線品質等を管理するように構成されていてもよい。
【００６７】
なお、上記について、優先すべきＣＣの選択方法を説明したが、優先するＣＣを含むバンドに含まれる他のＣＣも加えて送信するとしてもよい。
【００６８】
以下、図３乃至６を参照して、本発明の第１の実施形態に係る移動局ＵＥの動作について説明する。
【００６９】
第１に、図３を参照して、本実施形態に係る移動局ＵＥが、同一サブフレームにおいてスケジューリング情報によって上りリンク信号を送信するリソースとして２つ以上のＣＣ又はバンドが割り当てられていると判定した場合に、方法２を用いて、上りリンク信号を送信するリソースを決定する動作について説明する。
【００７０】
図３に示すように、移動局ＵＥは、ステップＳ１０１において、スケジューリング情報を受信すると、ステップＳ１０２において、「ｉ」＝「０」と設定し、ステップＳ１０３において、上りリンク信号を送信するリソースとしてＣＣ＃ｉが割り当てられているか否かについて判定する。
【００７１】
ここで、「ｉ」が小さくなるにつれて、ＣＣの優先順位が高くなるように設定されているものとする。例えば、「ｉ」＝「０」のＣＣが、「Ｐｃｅｌｌ」であり、「ｉ」＝「１」〜「Ｎｏ.ＣＣｓ−１」のＣＣが、「Ｃｅｌｌ  Ｉｎｄｅｘ」＝「１」〜「Ｎｏ.ＣＣｓ−１」の「Ｓｃｅｌｌ」であるものとする。
【００７２】
ステップＳ１０３において、「Ｎｏ」の場合、本動作は、ステップＳ１０４に進み、「Ｙｅｓ」の場合、本動作は、ステップＳ１０７に進む。
【００７３】
移動局ＵＥは、ステップＳ１０４において、「ｉ」＝「ｉ＋１」と設定し、ステップＳ１０５において、「ｉ」＝「Ｎｏ.ＣＣｓ」であるか否かについて判定する。
【００７４】
ステップＳ１０５において、「Ｎｏ」の場合、本動作は、ステップＳ１０２に戻り、「Ｙｅｓ」の場合、本動作は、ステップＳ１０６に進む。
【００７５】
ステップＳ１０６において、移動局ＵＥは、上りリンク信号を送信しない。
【００７６】
ステップＳ１０７において、移動局ＵＥは、ＣＣ＃ｉを用いて、上りリンク信号を送信する。
【００７７】
第２に、図４を参照して、本実施形態に係る移動局ＵＥが、同一サブフレームにおいてスケジューリング情報によって上りリンク信号を送信するリソースとして２つ以上のＣＣ又はバンドが割り当てられていると判定した場合に、方法３を用いて、上りリンク信号を送信するリソースを決定する動作について説明する。
【００７８】
図４に示すように、移動局ＵＥは、ステップＳ２０１において、スケジューリング情報を受信すると、ステップＳ２０２において、スケジューリング情報によってＰＵＣＣＨ信号を送信するリソースが割り当てられているか否かについて判定する。
【００７９】
ステップＳ２０２において、「Ｎｏ」の場合、本動作は、ステップＳ２０４に戻り、「Ｙｅｓ」の場合、本動作は、ステップＳ２０３に進む。
【００８０】
ステップＳ２０３において、移動局ＵＥは、２つ以上のＣＣの中から、ＰＵＣＣＨ信号を送信するリソースとして割り当てられたＣＣを優先的に選択する、すなわち、かかるＣＣを用いてＰＵＣＣＨ信号を送信する。  
ステップＳ２０４において、移動局ＵＥは、スケジューリング情報によってＲＡＣＨ信号を送信するリソースが割り当てられているか否かについて判定する。
【００８１】
ステップＳ２０４において、「Ｎｏ」の場合、本動作は、ステップＳ２０６に戻り、「Ｙｅｓ」の場合、本動作は、ステップＳ２０５に進む。
【００８２】
ステップＳ２０５において、移動局ＵＥは、２つ以上のＣＣの中から、ＲＡＣＨ信号を送信するリソースとして割り当てられたＣＣを優先的に選択する、すなわち、かかるＣＣを用いてＲＡＣＨ信号を送信する。  
ステップＳ２０６において、移動局ＵＥは、スケジューリング情報によってＰＵＳＣＨ信号を送信するリソースが割り当てられているか否かについて判定する。
【００８３】
ステップＳ２０６において、「Ｎｏ」の場合、本動作は、ステップＳ２０８に戻り、「Ｙｅｓ」の場合、本動作は、ステップＳ２０７に進む。
【００８４】
ステップＳ２０７において、移動局ＵＥは、２つ以上のＣＣの中から、ＰＵＳＣＨ信号を送信するリソースとして割り当てられたＣＣを優先的に選択する、すなわち、かかるＣＣを用いてＰＵＳＣＨ信号を送信する。
【００８５】
ステップＳ２０８において、移動局ＵＥは、上りリンク信号を送信しない。
【００８６】
第３に、図５を参照して、本実施形態に係る移動局ＵＥが、同一サブフレームにおいてスケジューリング情報によって上りリンク信号を送信するリソースとして２つ以上のＣＣ又はバンドが割り当てられていると判定した場合に、方法４を用いて、上りリンク信号を送信するリソースを決定する動作について説明する。
【００８７】
図５に示すように、移動局ＵＥは、ステップＳ３０１において、スケジューリング情報を受信すると、ステップＳ３０２において、最新のスケジューリング情報（送信が完了しない状態でＨＡＲＱ用バッファに蓄積されているデータ信号に対応するスケジューリング情報）を受信したタイミングが古い順（或いは、新しい順）に、各ＣＣを並び替え、ステップＳ３０３において、「ｉ」＝「０」と設定し、ステップ３０４において、上りリンク信号を送信するリソースとしてＣＣ＃ｉが割り当てられているか否かについて判定する。
【００８８】
ステップＳ３０４において、「Ｎｏ」の場合、本動作は、ステップＳ３０５に戻り、「Ｙｅｓ」の場合、本動作は、ステップＳ３０８に進む。
【００８９】
移動局ＵＥは、ステップＳ３０５において、「ｉ」＝「ｉ＋１」と設定し、ステップＳ３０６において、「ｉ」＝「Ｎｏ.ＣＣｓ」であるか否かについて判定する。
【００９０】
ステップＳ３０６において、「Ｎｏ」の場合、本動作は、ステップＳ３０３に戻り、「Ｙｅｓ」の場合、本動作は、ステップＳ３０７に進む。
【００９１】
ステップＳ３０７において、移動局ＵＥは、上りリンク信号を送信しない。
【００９２】
ステップＳ３０８において、移動局ＵＥは、ＣＣ＃ｉを用いて、上りリンク信号を送信する。
【００９３】
第４に、図６を参照して、本実施形態に係る移動局ＵＥが、同一サブフレームにおいてスケジューリング情報によって上りリンク信号を送信するリソースとして２つ以上のＣＣ又はバンドが割り当てられていると判定した場合に、方法５を用いて、上りリンク信号を送信するリソースを決定する動作について説明する。
【００９４】
図６に示すように、移動局ＵＥは、ステップＳ４０１において、スケジューリング情報を受信すると、ステップＳ４０２において、下りリンクにおける無線品質が良い順（或いは、上りリンクにおけるＭＣＳが高い順）に、各ＣＣを並び替え、ステップＳ４０３において、「ｉ」＝「０」と設定し、ステップ４０４において、上りリンク信号を送信するリソースとしてＣＣ＃ｉが割り当てられているか否かについて判定する。
【００９５】
ステップＳ４０４において、「Ｎｏ」の場合、本動作は、ステップＳ４０５に戻り、「Ｙｅｓ」の場合、本動作は、ステップＳ４０８に進む。
【００９６】
移動局ＵＥは、ステップＳ４０５において、「ｉ」＝「ｉ＋１」と設定し、ステップＳ４０６において、「ｉ」＝「Ｎｏ.ＣＣｓ」であるか否かについて判定する。
【００９７】
ステップＳ４０６において、「Ｎｏ」の場合、本動作は、ステップＳ４０３に戻り、「Ｙｅｓ」の場合、本動作は、ステップＳ４０７に進む。
【００９８】
ステップＳ４０７において、移動局ＵＥは、上りリンク信号を送信しない。
【００９９】
ステップＳ４０８において、移動局ＵＥは、ＣＣ＃ｉを用いて、上りリンク信号を送信する。
【０１００】
本発明の第１の実施形態に係る移動通信システムによれば、移動局ＵＥは、同一サブフレームにおいてスケジューリング情報によって上りリンク信号を送信するリソースとして２つ以上のＣＣ又はバンドが割り当てられていると判定した場合であっても、上述の方法１乃至６のうちの少なくとも１つの方法を用いて、どのように上りリンク信号を送信するべきかについて決定することができる。
【０１０１】
以上に述べた本実施形態の特徴は、以下のように表現されていてもよい。
【０１０２】
本実施形態の第１の特徴は、複数のＣＣ（コンポーネントキャリア）又はバンドを用いて、上りリンク信号を送信することができるように構成されている移動局ＵＥであって、無線基地局ｅＮＢから、スケジューリング情報を受信するように構成されている受信部１１と、かかるスケジューリング情報に基づいて、上りリンク信号を送信するように構成されている送信部１２とを具備しており、送信部１２は、同一サブフレーム（同一タイミング）では、いずれか１つのＣＣ又はバンドを用いて、上りリンク信号を送信するように構成されており、送信部１２は、同一サブフレームにおいてスケジューリング情報によって上りリンク信号を送信するリソースとして２つ以上のＣＣ又はバンドが割り当てられていると判定した場合、上りリンク信号を送信しないように構成されていることを要旨とする。
【０１０３】
本実施形態の第２の特徴は、複数のＣＣ又はバンドを用いて、上りリンク信号を送信することができるように構成されている移動局ＵＥであって、無線基地局ｅＮＢから、スケジューリング情報を受信するように構成されている受信部１１と、かかるスケジューリング情報に基づいて、上りリンク信号を送信するように構成されている送信部１２とを具備しており、送信部１２は、同一サブフレーム（同一タイミング）では、いずれか１つのＣＣ又はバンドを用いて、上りリンク信号を送信するように構成されており、送信部１２は、同一サブフレームにおいてスケジューリング情報によって上りリンク信号を送信するリソースとして２つ以上のＣＣ又はバンドが割り当てられていると判定した場合、各ＣＣの優先順位に基づいて、上りリンク信号を送信するリソースを決定するように構成されていることを要旨とする。
【０１０４】
本実施形態の第３の特徴は、複数のＣＣ又はバンドを用いて、上りリンク信号を送信することができるように構成されている移動局ＵＥであって、無線基地局ｅＮＢから、スケジューリング情報を受信するように構成されている受信部１１と、かかるスケジューリング情報に基づいて、上りリンク信号を送信するように構成されている送信部１２とを具備しており、送信部１２は、同一サブフレーム（同一タイミング）では、いずれか１つのＣＣ又はバンドを用いて、上りリンク信号を送信するように構成されており、送信部１２は、同一サブフレームにおいてスケジューリング情報によって上りリンク信号を送信するリソースとして２つ以上のＣＣ又はバンドが割り当てられていると判定した場合、各ＣＣで送信される信号の種別に基づいて、上りリンク信号を送信するリソースを決定するように構成されていることを要旨とする。
【０１０５】
本実施形態の第３の特徴において、送信部１２は、同一サブフレームにおいてスケジューリング情報によって上りリンク信号を送信するリソースとして２つ以上のコンポーネントキャリア又はバンドが割り当てられていると判定した場合、Ｓｅｍｉ-Ｐｅｒｓｉｓｔｅｎｔ  ｓｃｈｅｄｕｌｉｎｇにより割り当てられた信号を送信するコンポーネントキャリアを優先し、上りリンク信号を送信するリソースを決定するように構成されていてもよい。
【０１０６】
本実施形態の第４の特徴は、複数のＣＣ又はバンドを用いて、上りリンク信号を送信することができるように構成されている移動局ＵＥであって、無線基地局ｅＮＢから、スケジューリング情報を受信するように構成されている受信部１１と、かかるスケジューリング情報に基づいて、上りリンク信号を送信するように構成されている送信部１２とを具備しており、送信部１２は、同一サブフレーム（同一タイミング）では、いずれか１つのＣＣ又はバンドを用いて、上りリンク信号を送信するように構成されており、送信部１２は、同一サブフレームにおいてスケジューリング情報によって上りリンク信号を送信するリソースとして２つ以上のＣＣ又はバンドが割り当てられていると判定した場合、過去に受信したスケジューリング情報に基づいて、上りリンク信号を送信するリソースを決定するように構成されていることを要旨とする。
【０１０７】
本実施形態の第５の特徴は、複数のＣＣ又はバンドを用いて、上りリンク信号を送信することができるように構成されている移動局ＵＥであって、無線基地局ｅＮＢから、スケジューリング情報を受信するように構成されている受信部１１と、かかるスケジューリング情報に基づいて、上りリンク信号を送信するように構成されている送信部１２とを具備しており、送信部１２は、同一サブフレーム（同一タイミング）では、いずれか１つのＣＣ又はバンドを用いて、上りリンク信号を送信するように構成されており、送信部１２は、同一サブフレームにおいてスケジューリング情報によって上りリンク信号を送信するリソースとして２つ以上のＣＣ又はバンドが割り当てられていると判定した場合、各ＣＣの無線品質に基づいて、上りリンク信号を送信するリソースを決定するように構成されていることを要旨とする。
【０１０８】
本実施形態の第６の特徴は、複数のＣＣ（コンポーネントキャリア）を用いて、上りリンク信号を送信することができるように構成されている移動局ＵＥであって、無線基地局ｅＮＢから、スケジューリング情報を受信するように構成されている受信部１１と、かかるスケジューリング情報に基づいて、上りリンク信号を送信するように構成されている送信部１２とを具備しており、送信部１２は、同一サブフレーム（同一タイミング）では、いずれか１つのＣＣ又はバンドを用いて、上りリンク信号を送信するように構成されており、送信部１２は、同一サブフレームにおいてスケジューリング情報によって上りリンク信号を送信するリソースとして２つ以上のＣＣ又はバンドが割り当てられていると判定した場合、ランダムに、上りリンク信号を送信するリソースを決定するように構成されていることを要旨とする。
【０１０９】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【０１１０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【０１１２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１３】
ｅＮＢ…無線基地局
ＵＥ…移動局
１１…受信部
１２…送信部
１３…管理部
【図１】
0005846962.tif 000002
【図２】
0005846962.tif 000003
【図３】
0005846962.tif 000004
【図４】
0005846962.tif 000005
【図５】
0005846962.tif 000006
【図６】
0005846962.tif 000007
【図７】
0005846962.tif 000008